【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
サーバと複数の情報処理装置とを有する情報処理システムであって、
前記サーバは、
前記複数の情報処理装置のメニュー画面の設定情報を記憶する記憶手段を有し、
前記複数の情報処理装置のそれぞれは、
当該情報処理装置のメニュー画面に表示すべきボタンの情報を登録する登録手段と、
前記登録手段により登録された前記メニュー画面に表示すべきボタンの情報を含む、同期の対象である設定情報を格納する格納手段と、
前記サーバと前記格納手段との間で前記設定情報の同期を行う同期制御手段と、
前記メニュー画面から前記ボタンの表示を削除するように制御する制御手段と、を有し、
前記メニュー画面に表示すべきボタンに対応する機能を実行するアプリケーションがアンインストールされた、又は、前記アプリケーションが停止された、又は、前記アプリケーションのライセンスが無効になった場合に、前記同期制御手段による同期が行われる設定であれば、前記メニュー画面における当該ボタンの表示が変更され、かつ、前記格納手段により格納された同期の対象である前記ボタンの情報の削除が行われない
することを特徴とする情報処理システム。
【請求項２】
前記メニュー画面に表示すべきボタンに対応する機能を実行するアプリケーションがアンインストールされた、又は、前記アプリケーションが停止された、又は、前記アプリケーションのライセンスが無効になった場合に、前記同期制御手段による同期が行われない設定であれば、前記格納手段により格納された同期の対象である前記ボタンの情報の削除、及び、前記制御手段による前記ボタンの表示の削除が行われることを特徴とする請求項１に記載の情報処理システム。
【請求項３】
前記メニュー画面に表示すべきボタンに対応する機能を実行するアプリケーションがアンインストールされた、又は、前記アプリケーションが停止された、又は、前記アプリケーションのライセンスが無効になった場合に、前記ボタンの表示を削除するかどうかをユーザに確認するための確認画面を表示する表示制御手段を更に有し、
前記確認画面で前記ボタンの表示を削除するための入力を受け付けた場合に、前記同期制御手段による同期が行われる設定であっても、前記制御手段による前記ボタンの表示の削除が行われことを特徴とする請求項１又は２に記載の情報処理システム。
【請求項４】
前記制御手段は、前記情報処理装置のシャットダウンのときに前記制御を実行することを特徴とする請求項１乃至３のいずれか１項に記載の情報処理システム。
【請求項５】
前記メニュー画面の設定情報は、更に、少なくとも前記メニュー画面に登録したアプリケーションと背景画像の識別情報、及び前記アプリケーションのアイコンに表示する名称を含むことを特徴とする請求項１乃至４のいずれか１項に記載の情報処理システム。
【請求項６】
前記メニュー画面に表示すべきボタンに対応する機能を実行するアプリケーションがアンインストールされた、又は、前記アプリケーションが停止された、又は、前記アプリケーションのライセンスが無効になった場合に、前記同期制御手段による同期が行われる設定であれば、前記メニュー画面において、前記ボタンに対する操作ができないことを示す表示に変更されることを特徴とする請求項１乃至４のいずれか１項に記載の情報処理システム。
【請求項７】
サーバと通信する情報処理装置であって、
メニュー画面を表示する表示手段と、
前記メニュー画面に表示すべきボタンの情報を登録する登録手段と、
前記登録手段により登録された前記メニュー画面に表示すべきボタンの情報を含む、同期の対象である設定情報を格納する格納手段と、
前記サーバと前記格納手段との間で前記設定情報の同期を行う同期制御手段と、
前記メニュー画面から前記ボタンの表示を削除するように制御する制御手段と、を有し、
前記メニュー画面に表示すべきボタンに対応する機能を実行するアプリケーションがアンインストールされた、又は、前記アプリケーションが停止された、又は、前記アプリケーションのライセンスが無効になった場合に、前記同期制御手段による同期が行われる設定であれば、前記メニュー画面における前記ボタンの表示が変更され、かつ、前記格納手段により格納された同期の対象である前記ボタンの情報の削除が行われないことを特徴とする情報処理装置。
【請求項８】
前記メニュー画面に表示すべきボタンに対応する機能を実行するアプリケーションがアンインストールされた、又は、前記アプリケーションが停止された、又は、前記アプリケーションのライセンスが無効になった場合に、前記同期制御手段による同期が行われない設定であれば、前記格納手段により格納された同期の対象である前記ボタンの情報の削除、及び、前記制御手段による前記ボタンの表示の削除が行われることを特徴とする請求項７に記載の情報処理装置。
【請求項９】
前記メニュー画面に表示すべきボタンに対応する機能を実行するアプリケーションがアンインストールされた、又は、前記アプリケーションが停止された、又は、前記アプリケーションのライセンスが無効になった場合に、前記ボタンの表示を削除するかどうかをユーザに確認するための確認画面を表示する表示制御手段を更に有し、
前記確認画面で前記ボタンの表示を削除するための入力を受け付けた場合に、前記同期制御手段による同期が行われる設定であっても、前記制御手段による前記ボタンの表示の削除が行われることを特徴とする請求項７又は８に記載の情報処理装置。
【請求項１０】
前記制御手段は、前記情報処理装置のシャットダウンのときに前記制御を実行することを特徴とする請求項７乃至９のいずれか１項に記載の情報処理装置。
【請求項１１】
前記メニュー画面の設定情報は、更に、少なくとも前記メニュー画面に登録したアプリケーションと背景画像の識別情報、及び前記アプリケーションのアイコンに表示する名称を含むことを特徴とする請求項７乃至１０のいずれか１項に記載の情報処理装置。
【請求項１２】
前記メニュー画面に表示すべきボタンに対応する機能を実行するアプリケーションがアンインストールされた、又は、前記アプリケーションが停止された、又は、前記アプリケーションのライセンスが無効になった場合に、前記同期制御手段による同期が行われる設定であれば、前記メニュー画面において、前記ボタンに対する操作ができないことを示す表示に変更されることを特徴とする請求項７乃至１１のいずれか１項に記載の情報処理装置。
【請求項１３】
サーバと通信する情報処理装置を制御する制御方法であって、
メニュー画面を表示する表示工程と、
前記メニュー画面に表示すべきボタンの情報を登録する登録工程と、
前記登録工程で登録された前記メニュー画面に表示すべきボタンの情報を含む、同期の対象である設定情報を格納する格納工程と、
前記サーバと前記格納工程で格納された前記設定情報の同期を行う同期制御工程と、
前記メニュー画面から前記ボタンの表示を削除するように制御する制御工程と、を有し、
前記メニュー画面に表示すべきボタンに対応する機能を実行するアプリケーションがアンインストールされた、又は、前記アプリケーションが停止された、又は、前記アプリケーションのライセンスが無効になった場合に、前記同期制御工程による同期が行われる設定であれば、前記メニュー画面における前記ボタンの表示が変更され、かつ、前記格納工程で格納された同期の対象である前記ボタンの情報の削除が行われないことを特徴とする情報処理装置の制御方法。
【請求項１４】
コンピュータを、請求項７乃至１２のいずれか１項に記載の情報処理装置の各手段として機能させるためのプログラム。
【手続補正２】
【補正対象書類名】明細書
【補正対象項目名】０００８
【補正方法】変更
【補正の内容】
【０００８】
上記目的を達成するために本発明の一態様に係る情報処理システムは以下のような構成を備える。即ち、
サーバと複数の情報処理装置とを有する情報処理システムであって、
前記サーバは、
前記複数の情報処理装置のメニュー画面の設定情報を記憶する記憶手段を有し、
前記複数の情報処理装置のそれぞれは、
当該情報処理装置のメニュー画面に表示すべきボタンの情報を登録する登録手段と、
前記登録手段により登録された前記メニュー画面に表示すべきボタンの情報を含む、同期の対象である設定情報を格納する格納手段と、
前記サーバと前記格納手段との間で前記設定情報の同期を行う同期制御手段と、
前記メニュー画面から前記ボタンの表示を削除するように制御する制御手段と、を有し、
前記メニュー画面に表示すべきボタンに対応する機能を実行するアプリケーションがアンインストールされた、又は、前記アプリケーションが停止された、又は、前記アプリケーションのライセンスが無効になった場合に、前記同期制御手段による同期が行われる設定であれば、前記メニュー画面における当該ボタンの表示が変更され、かつ、前記格納手段により格納された同期の対象である前記ボタンの情報の削除が行われない
することを特徴とする。